(57)【要約】  【課題】複数の者が同時に飲める携行便利な飲料容器の飲用具を提供する。  【解決手段】略釣鐘状に形成されたアダプタキャップ３と該アダプタキャップの上方に空隙１６を設けて被蓋した外コップ１４とにより成り、該アダプタキャップの上方内壁４には飲料容器の注ぎ口２と係合する螺合溝６を形成し該アダプタキャップの頂部７には前記飲料容器の注ぎ口２と同寸法の第２の注ぎ口８を形成すると共に、その下方に設けた第１の小径段部１１外周には前記外コップ１４の開口部内周縁と係合する係合突起１３を設け、前記アダプタキャップ３と外コップ１４それぞれを着脱自在に構成した。【選択図】    図１
0003113634.tif 000002
【実用新案登録請求の範囲】
【請求項１】
略釣鐘状に形成されたアダプタキャップと該アダプタキャップの上方に空隙を設けて被蓋した外コップとにより成り、該アダプタキャップの上方内壁には飲料容器の注ぎ口と係合する螺合溝を形成し該アダプタキャップの頂部には前記飲料容器の注ぎ口と同寸法の第２の注ぎ口を形成すると共に、その下方に設けた第１の小径段部外周には前記外コップの開口部内周縁と係合する係合突起を設け、前記アダプタキャップと外コップそれぞれを着脱自在に構成したことを特徴とする飲料容器の飲用具。
【請求項２】
前記アダプタキャップと外コップ間の空隙には、略釣鐘状の内コップを収納可能に構成したことを特徴とする請求項１記載の飲料容器の飲用具。
【請求項３】
前記アダプタキャップの下縁近傍には携行ベルト掛止用の掛止フックを設けたことを特徴とする請求項１記載の飲料容器の飲用具。
【考案の詳細な説明】
【技術分野】
【０００１】
本考案は、飲料用ペットボトルなど各種携帯用飲料容器内に充填された飲料液の飲用具に関し、詳しくは飲料容器に設けられた既存の注ぎ口に着脱自在なコップ付アダプタを装着して携行便利なように構成した飲料容器の飲用具に関する。
【背景技術】
【０００２】
従来、ペットボトル（ポリエチレンテレフタレート樹脂製ボトル）やアルミ製ボトル等にお茶や清涼飲料水などを充填した飲料液用飲料容器が多く利用されている。ところが、これらの飲料容器にはコップが付いていないため飲用に際しては直接注ぎ口に口を当ててラッパ飲みで飲用するか又は別途コップまたはストロー等を用意して飲用するかの方法で飲用しているのが実態である。
【０００３】
そのため、上記問題を解消するため特開２００１−１８０６３８号公報ならびに特開２００４−４３００８号公報に開示するコップ付ペットボトルが提案されている。これらは何れもコップ本体の内側底部に既存のペットボトルの注ぎ口に螺合可能なキャップ体を設け、該キャップ体を前記注ぎ口に装着して飲用するように構成されている。
【考案の開示】
【考案が解決しようとする課題】
【０００４】
従来の飲料容器は、１つの容器内の飲用液を複数の者が飲用する場合注ぎ口に直接口を当て１人だけでなく複数人が交代でラッパ飲みすることも多く、よって該注ぎ口が不衛生となりかつ他人に分けて飲用することもできず、そのうえマナー上も好ましいとは云えない。さらに、幼少の子供などに前記ラッパ飲みで飲用させようとしても上手に飲むことができないため、結局別途飲用コップが必要となる。
【０００５】
一方、上述した従来技術のコップ付ペットボトルの場合は、コップの内側底面にペットボトルの注ぎ口と嵌合する環状凸部（キャップ体）が突設しているため該突設部の隅々まで手が入り難く十分な洗浄ができないうえ、洗浄時該環状凸部の角で手を怪我する虞があり危険である。
【０００６】
さらに、家庭外で複数の者が飲用する場合には１つのコップを各々交代で回し飲みしなければならないという不都合もある。特に、近年レジャー等でお得用（１〜２リットル）の飲料容器の利用が増えつつあるが、この場合複数の者が飲用するためには別途複数のコップを用意しなければならず従来の問題点が何ら解消されていないのが実態である。
【０００７】
そこで、本考案はかかる実態に鑑み１つの飲料容器内の飲用液を複数の者が同時に飲用できるよう複数のコップが収納でき、しかも飲料容器と一体的に装着することによっていちいち飲用コップを用意することなく携行便利でかつ注ぎ口を衛生的に保持できる飲料容器の飲用具を提供することを目的とする。
【課題を解決するための手段】
【０００８】
上記目的を達成するために本考案は、略釣鐘状に形成されたアダプタキャップ３と該アダプタキャップの上方に空隙１６を設けて被蓋した外コップ１４とにより成り、該アダプタキャップ３の上方内壁には飲料容器の注ぎ口２と係合する螺合溝６を形成し該アダプタキャップの頂部７には前記飲料容器の注ぎ口２と同寸法の第２の注ぎ口８を形成すると共に、その下方に設けた第１の小径段部１１外周には前記外コップ１４の開口部内周縁と係合する係合突起１３を設け、前記アダプタキャップ３と外コップ１４それぞれを着脱自在に構成したことを特徴とする（請求項１）。
【０００９】
また、前記前記アダプタキャップ３と外コップ１４間の空隙１６には、略釣鐘状の内コップ１７を収納可能に構成することもできる（請求項２）。
【００１０】
さらに、前記アダプタキャップ３の下縁近傍には携行ベルト２０掛止用の掛止フック２１を設けるとよい（請求項３）。
【考案の効果】
【００１１】
本考案によれば、ペットボトルなど各種飲料容器に形成された既存の注ぎ口に本考案アダプタキャップを介在させるだけで複数の内コップと該内コップを被蓋する外コップとを一体的に装着できるので携行便利でかつ飲料液を飲用する際も衛生的である（請求項１）。
【００１２】
さらに、複数の者が同時に飲用する場合も、外コップ内に収納された複数の内コップを用いれば全員が同時に飲用することができるので１つのコップをいちいち回し飲みする必要もないので飲用時の楽しさも倍増する（請求項２）。
【００１３】
また、大容量の飲料容器（例えば１〜２リットル）をレジャー用として携行する場合も、アダプタキャップに設けた掛止フックに携行用ベルトを引っ掛ければ子供でも容易に持ち運ぶことができる（請求項３）。
【考案を実施するための最良の形態】
【００１４】
本考案は、略釣鐘状に形成されたアダプタキャップ３と該アダプタキャップの上方に空隙１６を設けて被蓋した外コップ１４とにより成り、該アダプタキャップ３の上方内壁には飲料容器の注ぎ口２と係合する螺合溝６を形成し該アダプタキャップの頂部７には前記飲料容器の注ぎ口２と同寸法の第２の注ぎ口８を形成すると共に、その下方に設けた第１の小径段部１１外周には前記外コップ１４の開口部内周縁と係合する係合突起１３を設け、前記アダプタキャップ３と外コップ１４それぞれを着脱自在に構成するのがよい。
【実施例１】
【００１５】
以下、本考案の第１実施例を市販の飲料容器中比較的多量に流通しているペットボトルに装着した例を図１ないし図２により説明する。図１は本考案飲用具を飲料用ペットボトルに装着した全体図で、図２は各構成部材を分解したときの展開図を示し、ペットボトル本体１上方の注ぎ口２には略釣鐘状のポリプロピレン樹脂製のアダプタキャップ３が被蓋し、該アダプタキャップの上方内壁４に突設したボス５の螺合溝６が前記注ぎ口２と螺合して着脱自在となっている。一方、アダプタキャップ３の頂部７には前記注ぎ口２と略同一寸法で形成された第２の注ぎ口８が設けられ、ここにペットボトル本体１の購入時密閉蓋として付属されたキャップ９が螺着して該注ぎ口を密封している。
【００１６】
さらに、アダプタキャップ３下方の外周壁１０上には第１の小径段部１１と第２の小径段部１２が２段に分けて形成されている。このうち第１の小径段部１１の外周には略螺旋状に突設した係合突起１３が形成されており、ここに外コップ１４が被蓋すると共にその下方の開口部内周縁に形成した係合溝１５と係合して該外コップの回動操作によってアダプタキャップ３と着脱自在となっている。
【００１７】
また、アダプタキャップ３の下縁近傍には携行ベルト２０引っ掛け用の掛止フック２１が設けられており、必要により該携行ベルトを装着することもできる。なお、前記アダプタキャップ３側の係合突起１３と外コップ１４側の係合溝１５は好ましくは螺旋ネジ状に形成するのがよいが、例えば外コップ１４をアダプタキャップ３の軸線方向に押し込むか又は回動することによって噛み合い固定される噛合構造であってもよいものとする。
【００１８】
併せて、前記係合部の螺旋ネジはネジのリード角を注ぎ口２の螺合溝６よりも大なる角度即ちネジの巻き角を小さく設定するかもしくは複数条（例えば２条ネジ）に形成しておくことによって、飲用時アダプタキャップ３から外コップ１４を取り外す場合少ない回動量で容易に係合が解けて取り出すことができる。
【００１９】
このように構成することによって、ペットボトル本体１の注ぎ口２の螺合部よりも先に前記係合部が離脱するため、前記注ぎ口部の螺合部から内部の飲料が多量にこぼれ出たり或いはペットボトルが離脱・落下したりすることもない。
【００２０】
一方、アダプタキャップ３と外コップ１４間には適宜の空隙１６が設けられており、アダプタキャップ側の第２の小径段部１２の外周部に内コップ１７の下縁開口部１８が嵌り込んで収納されている。そして、この内コップ１７もまた全体として一側に開口を有した略釣鐘状の形態を成すと共に飲用時外コップ１４を取り外す際に同時に取り出せるようになっている。
【００２１】
なお、前記内コップ１７は図においては説明の都合上１つのみが収納された図として図示してあるが、前記空隙１６を大きく設定することにより複数の内コップを重ねて収納することもでき、内コップの収納数を幾つに設定するかは製造上の選択事項である。さらに、アダプタキャップ３の下縁近傍に設けた携行ベルト掛止用の掛止フック２１の設定も、対象とする飲料容器のサイズに応じて適宜選択してもよいことは云うまでもない。
【００２２】
次いで本考案の作用について説明する。市販のペットボトル本体１に本考案飲用具を装着するときは、まず注ぎ口のキャップ９を取り外し、該注ぎ口を覆うようにアダプタキャップ３を被せて該アダプタキャップ側に設けた螺合溝６同士を螺合・緊締する。
【００２３】
次に、アダプタキャップの頂部７に突設する第２の注ぎ口８に前記キャップ９を螺合して該注ぎ口を密閉し、その後内コップ１７の下縁開口部１８をアダプタキャップ３の第２の小径段部１２に嵌め込む。次いで、外コップ１４を内コップ上から包み込むように被せた後外コップ１４の開口部内周縁に形成した係合溝１５とアダプタキャップ３側の係合突起１３とを係合させた上回動操作しながら確実に固定する。そして、携行する場合は携行ベルト２０の掛止具を掛止フック２１に引っ掛けて持ち運べばよい。
【００２４】
また、ペットボトル本体１内に充填された飲料液を飲用するときは、前記操作と逆の操作を行うこととなるが、さきにも説明したとおり外コップ１４を回動操作しその係合を弛める場合、螺旋ネジの巻き角度が小さく設定してあることにより少ない回動量でしかも子供などでも容易に弛めることができる。さらに、内コップ１７を複数収納するようにすれば複数の者が同時に飲用することができるので飲用時の楽しさも倍増する。
【実施例２】
【００２５】
図３は、本考案の他の実施例で外コップ下方の開口部周縁を汚れから保護するように構成したものである。以下、上述した実施例１と異なる部分のみを説明すると共に同一部材ならびに同一部位は同一名称・同一符号をもって説明する。
【００２６】
アダプタキャップ３１ａの下方に設けた第１の小径段部１１ａの外周には略Ｕ字状の窪み３２が形成されており、外コップ１４の装着時ここにその開口部周縁３３が潜り込むようになっている。これにより、携行時外コップ１４の開口部周縁が露出していないことにより塵埃の付着や外部からの汚れの付着を防止でき、よって飲用時口元も清潔に保てる。
【００２７】
以上、本考案の実施例について説明したが、本考案を構成するアダプタキャップ３、外コップ１４、内コップ１７それの材料は耐熱性、耐薬品性、耐衝撃性に優れたポリプロピレン樹脂で形成するのが好ましいがこれに限らずその他の合成樹脂又はステンレススチールなどで形成してもよく、その使用材料は特に限定しない。
【００２８】
また、本考案の適応対象は単に飲料用ペットボトルに限らず各種の飲料容器全てに適用するものであると共に、本考案の要旨の範囲内において種々の変形態様が可能である。
【図面の簡単な説明】
【００２９】
【図１】本考案飲用具の全体図である。
【図２】本考案飲用具の構成部材展開図である。
【図３】本考案の他の実施例を示す全体図である。
【符号の説明】
【００３０】
１  ペットボトル本体
２  注ぎ口
３  アダプタキャップ
６  係合溝
８  第２の注ぎ口
９  キャップ
１１  第１の小径段部
１２  第２の小径段部
１３  係合突起
１４  外コップ
１６  空隙
１７  内コップ
２１  掛止フック
【図１】
0003113634.tif 000003
【図２】
0003113634.tif 000004
【図３】
0003113634.tif 000005